(57)【特許請求の範囲】
【請求項１】
網袋の内部に中詰材が充填される袋体と、
この袋体の開口部を閉じる口絞りロープと、
この口絞りロープより下方の網目に挿通し、前記袋体の外周寸法を調整する調整ロープとを備え、
前記調整ロープは、前記中詰材が充填された前記袋体の外周寸法を調整し、調整後、結ばれるものであり、
前記調整ロープの位置は、前記口絞りロープより下方であって前記中詰材が充填された部位より上に位置している
ことを特徴とする土木工事用袋体。
【請求項２】
網袋の内部に中詰材が充填される袋体と、
この袋体の開口部を閉じる口絞りロープと、
この口絞りロープより下方の網目に挿通し、前記袋体の外周寸法を調整する調整ロープとを備え、
前記調整ロープにより前記袋体の外周寸法がＬ１の時、前記中詰材が充填された前記袋体の載置面からの高さ寸法がＨ１、前記調整ロープにより前記袋体の外周寸法がＬ２の時、前記中詰材が充填された前記袋体の載置面からの高さ寸法がＨ２の時、Ｌ１＞Ｌ２、Ｈ１＜Ｈ２の関係であり、
前記載置面は、地面であり、
前記中詰材が充填された前記袋体を吊り上げ、前記中詰材が充填された袋体を前記地面から離す直前の状態で、前記調整ロープにより前記袋体の外周寸法を調整し、調整後、設置部位へ設置する
ことを特徴とする土木工事用袋体の設置方法。
【請求項３】
網袋の内部に中詰材が充填される袋体と、
この袋体の開口部を閉じる口絞りロープと、
この口絞りロープより下方の網目に挿通し、前記袋体の外周寸法を調整する調整ロープとを備え、
前記調整ロープにより前記袋体の外周寸法がＬ１の時、前記中詰材が充填された前記袋体の載置面からの高さ寸法がＨ１、前記調整ロープにより前記袋体の外周寸法がＬ２の時、前記中詰材が充填された前記袋体の載置面からの高さ寸法がＨ２の時、Ｌ１＞Ｌ２、Ｈ１＜Ｈ２の関係であり、
前記載置面は、地面であり、
前記中詰材が充填された前記袋体を吊り上げ、前記中詰材が充填された袋体を前記地面から離す直前の状態で、前記調整ロープにより前記袋体の外周寸法を調整する
ことを特徴とする土木工事用袋体の外形形状の調整方法。
【発明の詳細な説明】
【技術分野】
【０００１】
本発明は、土木工事用袋体、土木工事用袋体の設置方法及び土木工事用袋体の外形形状の調整方法に係り、特に、袋体形状を容易に調整することができる土木工事用袋体、土木工事用袋体の設置方法及び土木工事用袋体の外形形状の調整方法に関する。
【背景技術】
【０００２】
現在、網袋の内部に中詰材が充填される土木工事用袋体は、中詰材の重量に応じて土木工事用袋体の外形形状が袋体メーカー毎に決められている。
しかし、袋体メーカーの使用基準の中詰材と現場で使用される中詰材とは、中詰材の粒径、重量、形、粒度分布が異なるため、設計者が意図した「中詰材が充填された土木工事用袋体の外形形状」が得られにくい。
そのため、設計段階で計算された土木工事用袋体の数量と、現場で使用された土木工事用袋体の数量とが一致せず、施工現場で支障を生じるという問題点が生じた。
【発明の概要】
【発明が解決しようとする課題】
【０００３】
本発明は、上記問題点を考慮してなされた土木工事用袋体、土木工事用袋体の設置方法及び土木工事用袋体の外形形状の調整方法を提供することを目的とする。
【課題を解決するための手段】
【０００４】
請求項１記載の土木工事用袋体は、網袋の内部に中詰材が充填される袋体と、この袋体の開口部を閉じる口絞りロープと、この口絞りロープより下方の網目に挿通し、前記袋体の外周寸法を調整する調整ロープとを備え、前記調整ロープは、前記中詰材が充填された前記袋体の外周寸法を調整し、調整後、結ばれるものであり、前記調整ロープの位置は、前記口絞りロープより下方であって前記中詰材が充填された部位より上に位置しているものである。
【０００５】
また、請求項２記載の土木工事用袋体の設置方法は、網袋の内部に中詰材が充填される袋体と、この袋体の開口部を閉じる口絞りロープと、この口絞りロープより下方の網目に挿通し、前記袋体の外周寸法を調整する調整ロープとを備え、前記調整ロープにより前記袋体の外周寸法がＬ１の時、前記中詰材が充填された前記袋体の載置面からの高さ寸法がＨ１、前記調整ロープにより前記袋体の外周寸法がＬ２の時、前記中詰材が充填された前記袋体の載置面からの高さ寸法がＨ２の時、Ｌ１＞Ｌ２、Ｈ１＜Ｈ２の関係であり、前記載置面は、地面であり、前記中詰材が充填された前記袋体を吊り上げ、前記中詰材が充填された袋体を前記地面から離す直前の状態で、前記調整ロープにより前記袋体の外周寸法を調整し、調整後、設置部位へ設置するものである。
【０００９】
また、請求項３記載の土木工事用袋体の外形形状の調整方法は、網袋の内部に中詰材が充填される袋体と、この袋体の開口部を閉じる口絞りロープと、この口絞りロープより下方の網目に挿通し、前記袋体の外周寸法を調整する調整ロープとを備え、前記調整ロープにより前記袋体の外周寸法がＬ１の時、前記中詰材が充填された前記袋体の載置面からの高さ寸法がＨ１、前記調整ロープにより前記袋体の外周寸法がＬ２の時、前記中詰材が充填された前記袋体の載置面からの高さ寸法がＨ２の時、Ｌ１＞Ｌ２、Ｈ１＜Ｈ２の関係であり、前記載置面は、地面であり、前記中詰材が充填された前記袋体を吊り上げ、前記中詰材が充填された袋体を前記地面から離す直前の状態で、前記調整ロープにより前記袋体の外周寸法を調整するものである。
【発明の効果】
【００１０】
請求項１記載記載の土木工事用袋体によれば、口絞りロープより下方の網目に挿通し、袋体の外周寸法を調整する調整ロープを設けているため、調整ロープにより袋体の外周寸法を調整することができるため、袋体形状を容易に調整することができる。
【００１１】
また、請求項２記載の土木工事用袋体の設置方法によれば、調整現場において、中詰材が充填された袋体を吊り上げた状態［図示しないバックホウ、クレーン等を用いて、中詰材が充填された袋体を地面から離す（地切り）直前］で、調整ロープにより前記袋体の外周寸法を調整することができるため、袋体形状の調整が容易にできる分、設置部位に対応して設置することができる。
【００１３】
また、請求項３記載の土木工事用袋体の外形形状の調整方法によれば、調整現場において、中詰材が充填された袋体を吊り上げた状態［図示しないバックホウ、クレーン等を用いて、中詰材が充填された袋体を地面から離す（地切り）直前］で、調整ロープにより前記袋体の外周寸法を調整することができるため、袋体形状の調整を容易にすることができる。
【図面の簡単な説明】
【００１４】
【図１】図１は、本発明の一実施例の土木工事用袋体の概略的図である。
【図２】図２は、図１の調整ロープを結ぶ前の状態の概略的図である。
【図３】図３は、図１の調整ロープで調整され、土木工事用袋体が一番高さが高い状態で載置面に載置された状態を示す概略的図である。
【図４】図４は、図１の調整ロープで調整され、土木工事用袋体が二番目に高さが高い状態で載置面に載置された状態を示す概略的図である。
【図５】図５は、図１の調整ロープで調整され、土木工事用袋体が三番目に高い状態で載置面に載置された状態を示す概略的図である。
【図６】図６は、図１の調整ロープと異なる他の調整ロープを用いた土木工事用袋体の概略的図である。
【図７】図７は、図６の調整ロープと異なる他の調整ロープを用いた土木工事用袋体の概略的図である。
【図８】図８は、図７の調整ロープと異なる他の調整ロープを用いた土木工事用袋体の概略的図である。
【発明を実施するための形態】
【００１５】
本発明の一実施例の土木工事用袋体、土木工事用袋体の設置方法及び土木工事用袋体の外形形状の調整方法を図面を参照して説明する。
土木工事用袋体Ｂは、洪水時の堤防の洗堀等の緊急対策工、河川護岸、橋脚等の根固めブロック工等に使用されるもので、網袋の内部に中詰材１が充填される袋体２を有している。
中詰材１は、例えば、玉石、割栗石、コンクリート等である。
袋体２は、具体的には、ナイロン、ポリエステル、ポリエチレン、再生ポリエステル等の合成樹脂製のネットで、袋体２には、中詰材１を、例えば、約１ｔ〜約８ｔ程度のものが充填される。
【００１６】
図１に示す３は吊りロープで、吊りロープ３は、中詰材１が充填された袋体２を図示しないバックホウ、クレーン等を用いて吊り上げる際に使用するものである。
４は、袋体２の開口部を閉じる口絞りロープである。５は、口絞りロープ４より下方の網目に挿通し（図２参照）、袋体２の外周寸法を調整する調整ロープである。調整ロープ５の位置は、口絞りロープ４より下方であって、袋体２に中詰材１が充填された部位より上に位置している（図１参照）。
【００１７】
そして、図５に示すように、調整ロープ５により袋体２の外周寸法がＬ１の時（調整ロープ５が緩め状態）、中詰材１が充填された袋体２の載置面６からの高さ寸法がＨ１、また、図４に示すように、調整ロープ５により袋体２の外周寸法がＬ２の時（調整ロープ５がやや引き絞り状態）、中詰材１が充填された袋体２の載置面６からの高さ寸法がＨ２、また、図３に示すように、調整ロープ５により袋体２の外周寸法がＬ３の時（調整ロープ５が引き絞り状態）、中詰材１が充填された袋体２の載置面６からの高さ寸法がＨ３の時、つまり、Ｌ１＞Ｌ２＞Ｌ３、Ｈ１＜Ｈ２＜Ｈ３の関係にある。
なお、図３においてＬ３、図４においてＬ２、図５においてＬ１をそれぞれ図示しているが、Ｌ１、Ｌ２、Ｌ３は、調整ロープ５の縛り状態により決められる調整ロープ５の円周長さであるが、図３においてＬ３、図４においてＬ２、図５においてＬ１と視覚的に理解しやすいように図示したものである。
【００１８】
従って、上述した土木工事用袋体Ｂによれば、口絞りロープ４より下方の網目に挿通し、袋体２の外周寸法を調整する調整ロープ５を設けているため、調整ロープ５により袋体２の外周寸法を調整することができ、図３乃至図５に示すように、袋体形状を容易に調整することができる。
つまり、中詰材１が充填された袋体２の載置面６からの高さ寸法をＨ１からＨ３（Ｈ１＜Ｈ２＜Ｈ３）にしたい時には、調整ロープ５により袋体２の外周寸法をＬ１からＬ３（Ｌ１＞Ｌ２＞Ｌ３）に調整すれば良い。
【００１９】
なお、調整ロープ５の調整方法におけるロープの絞り方としては、図２に示すように、調整ロープ５の一端を結んで調整ロープ５が抜けないようにすると共に、調整ロープ５の他端の側を引っ張るようにしても良いし、
また、図６に示すように、環状に形成した調整ロープ５（ロープの端部同士を接着して調整ロープ５を環状に形成する。）を引っ張るようにしても良いし、
また、図７に示すように、調整ロープ５の両端を引っ張って結んでも良い。
また、図８に示すように、調整ロープ５を長く形成し、結束した残りの調整ロープ５を結束して、該結束した部位を口絞りロープ４の下方に位置させるようにしても良い。
【００２０】
また、設置現場において上述の土木工事用袋体Ｂを設置することができる。つまり、土木工事用袋体の設置方法によれば、設置現場において、中詰材１が充填された袋体２を図示しないバックホウ、クレーン等を用いて吊り上げた状態［望ましくは、図示しないバックホウ、クレーン等を用いて、中詰材が充填された袋体を地面から離す（地切り）直前］で、調整ロープ５により袋体２の外周寸法を調整することができるため、袋体形状の調整が容易にできる分、設置部位に対応して設置することができる。
【００２１】
なお、上述した実施例においては、設置現場において土木工事用袋体Ｂを設置するようにしたが、本願発明にあっては、これに限らず、設置現場の前の段階、例えば、工場等で、袋体２に中詰材１を充填する調整現場においても、同様に適用できるものである。
即ち、調整現場において、上述の土木工事用袋体Ｂの外形形状の調整方法を行うと、つまり、中詰材１が充填された袋体２を吊り上げた状態で、調整ロープ５により袋体２の外周寸法を調整することができ、袋体形状の調整を容易にすることができる。
【符号の説明】
【００２２】
Ｂ      土木工事用袋体
１      中詰材
２      袋体
４      口絞りロープ
５      調整ロープ
【図１】
0006527739.tif 000002
【図２】
0006527739.tif 000003
【図３】
0006527739.tif 000004
【図４】
0006527739.tif 000005
【図５】
0006527739.tif 000006
【図６】
0006527739.tif 000007
【図７】
0006527739.tif 000008
【図８】
0006527739.tif 000009